(57)【要約】      （修正有）【課題】止水栓のエア抜きを短時間で行うとともに、水分や埃の侵入を防ぐことのできる止水栓のエア注入・排気システムを簡単な構成で提供する。【解決手段】止水栓Ａとエア源Ｐとを結ぶ配管回路Ｂを備え、配管回路Ｂは、エア源Ｐから三方切換弁５を介して止水栓Ａに至る流路を備えたエア供給回路と、エア源Ｐから真空エジェクタ１２を通って排気口１４に至ると共に真空エジェクタ１２の吸引ポート１２ａと止水栓Ａとを三方切換弁５を介して接続する流路を備えたエア排出回路とを含み、エア供給回路並びにエア排出回路は、エア源Ｐに対してそれぞれジョイント６、１０を介して選択的に接続できる構成とした。【選択図】図３
0003216785.tif 000002
【実用新案登録請求の範囲】
【請求項１】
止水栓とエア源とを結ぶ配管回路を備え、
前記配管回路は、前記エア源から三方切換弁を介して前記止水栓に至る流路を備えたエア供給回路と、
前記エア源から真空エジェクタを通って排気口に至ると共に前記真空エジェクタの吸引ポートと前記止水栓とを前記三方切換弁を介して接続する流路を備えたエア排出回路とを含み、
前記エア供給回路並びにエア排出回路は、前記エア源に対してそれぞれジョイントを介して選択的に接続できるように形成されている止水栓のエア注入・排気システム。
【請求項２】
前記エア供給回路並びにエア排出回路は、携帯可能なキャリアケースに組み込まれ、前記エア供給回路並びにエア排出回路のエア源接続用ジョイント並びに止水栓接続用ジョイントの接続口並びに前記排気口が前記キャリアケースに設けられている請求項１に記載の止水栓のエア注入・排気システム。
【請求項３】
前記エア源から前記エア源接続用ジョイントに至るダクト中にミストセパレータが設けられている請求項１または２に記載の止水栓のエア注入・排気システム。
【考案の詳細な説明】
【技術分野】
【０００１】
本考案は、建築用配水管や上下水道管などの配管を一時的に止水するために使用する止水栓のエア注入・排気システムに関する。
【背景技術】
【０００２】
建築用配水管や上下水道管などの配管の一部を取り替えたり、修理したりするときに、配管の上流側を一時的に止水する必要がある。この止水用のプラグとして、ゴム製の中空チューブを用いた止水栓が一般的に知られている。
【０００３】
図５は、一般的な止水栓を示すものであって、ゴム製の中空チューブ１６の両端側を金属製で円板状のフランジ１７、１８で支えることにより、内部を密閉中空とした筒状の形態で形成され、エア源となるコンプレッサからの圧縮エアを一方のフランジ１７に設けたエア注入栓１９から中空チューブ１６内に注入することにより、図５の仮想線で示すように中空チューブ１６を膨張させて配管２０の内壁面に密着させ、止水するように形成されている。
【０００４】
また、上記したような左右の金属製フランジをなくして、袋状のゴム製チューブのみで形成した止水栓（止水プラグ）も知られている（特許文献１参照）。
【先行技術文献】
【特許文献】
【０００５】
【特許文献１】特開平１１−８２８６４号公報
【考案の概要】
【考案が解決しようとする課題】
【０００６】
このような中空チューブを用いた止水栓は、圧縮エアを中空チューブに注入して膨張させるだけで配管内に取り付けることができると共に、構造が簡単で比較的安価に製作できるといったメリットがあるので広く実施されている。
しかし、従来は、工事完了後に止水栓を配管から取り外すときの中空チューブのエア抜きを、エア注入口からの自然排気に頼っているため時間がかかり、作業迅速化の弊害となっていた。また、反復使用中にコンプレッサからの圧縮空気に含まれる水分や埃が中空チューブ内に貯まり、チューブ素材の強度を劣化させるといった問題点もあった。
【０００７】
そこで本考案は、上記課題に鑑み、止水栓のエア抜きを短時間で行うことができるとともに、水分や埃の侵入を防ぐことのできる止水栓のエア注入・排気システムを簡単な構成で提供することを目的とする。
【課題を解決するための手段】
【０００８】
上記課題を解決するために、本考案では次のような技術的手段を講じた。すなわち、本考案は、止水栓とエア源とを結ぶ配管回路を備え、前記配管回路は、前記エア源から三方切換弁を介して前記止水栓に至る流路を備えたエア供給回路と、前記エア源から真空エジェクタを通って排気口に至ると共に前記真空エジェクタの吸引ポートと前記止水栓とを前記三方切換弁を介して接続する流路を備えたエア排出回路とを含み、前記エア供給回路並びにエア排出回路は、前記エア源に対してそれぞれジョイントを介して選択的に接続できるように形成されている構成とした。
【考案の効果】
【０００９】
本考案の止水栓のエア注入・排気システムでは、エア源をエア供給回路に接続することにより止水栓にエアを注入することができると共に、エア源をエア排出回路に接続することにより止水栓のエアを強制的に排気することができる。これにより、止水栓のエア注入口からの自然排気に頼っていた従来のエア抜きに比べて短時間で排気することが可能となり、作業の迅速化を図ることができるといった効果がある。
【００１０】
本考案において、前記エア供給回路並びにエア排出回路は、携帯可能なキャリアケースに組み込まれ、前記エア供給回路並びにエア排出回路のエア源接続用ジョイント並びに止水栓接続用ジョイントの接続口並びに前記排気口が前記キャリアケースに設けられているようにしてもよい。
これにより、キャリアケースを作業現場に持ち運んでエア源並びに止水栓を接続するだけで簡単かつ便利に使用することができる。
【００１１】
また、本考案において、前記エア源から前記エア源接続用ジョイントに至るダクト中にミストセパレータを設けるようにしてもよい。
これにより、コンプレッサなどのエア源で発生した水分や塵芥物が止水栓に混入するのを防止して、止水栓の中空チューブ素材の強度劣化を防ぐことができるといった効果がある。
【図面の簡単な説明】
【００１２】
【図１】本考案の外観構成の一例を示す斜視図。
【図２】本考案に係るエア供給回路を示す説明図。
【図３】本考案に係るエア排気回路を示す説明図。
【図４】本考案における真空エジェクタの構成を示す断面図。
【図５】従来の止水栓の一例を示す図。
【考案を実施するための形態】
【００１３】
以下において、本考案の詳細をその実施の形態を示す図１〜４に基づいて説明する。
本考案に係る止水栓のエア注入・排気システムは、コンプレッサなどのエア源Ｐからの圧縮エアを注入することにより膨張する伸縮可能な中空チューブを備えた止水栓Ａと、この止水栓Ａとエア源Ｐとを結ぶ配管回路Ｂとから構成される。止水栓Ａは、図５に示したものを含め、圧縮エアを注入することにより膨張する中空チューブを備えたタイプのものであれば特に限定されない。
【００１４】
止水栓Ａとエア源Ｐとを結ぶ配管回路Ｂは、図２の太線で示すエア供給回路と、図３の太線で示すエア排出回路とを備えている。
【００１５】
エア供給回路は、エア源Ｐからのダクト１を接続するエア源接続用ジョイント２から、圧力調整弁３、手動開閉弁４、三方切換弁５を経過して止水栓接続用ジョイント６に至る流路を備え、止水栓接続用ジョイント６には止水栓Ａから延びるダクト７が接続されている。
エア源Ｐからエア源接続用ジョイント２に至るダクト１の途中にはミストセパレータ８が設けられており、三方切換弁５から止水栓接続用ジョイント６に至る流路中には圧力計９が設けられている。
【００１６】
エア排出回路は、エア源Ｐからのダクト１を接続するエア源接続用ジョイント１０から、手動開閉弁１１、真空エジェクタ１２を経過して消音器１３の排気口１４に至る流路と、真空エジェクタ１２の吸引ポート１２ａから三方切換弁５を経過して止水栓接続用ジョイント６に至る流路とから形成されている。止水栓接続用ジョイント６には止水栓Ａから延びるダクト７が接続されている。
【００１７】
真空エジェクタ１２は、一般に広く用いられている周知のものであるので、その詳細な説明は省略するが、概略的には図４に示すように、吸引ポート１２ａから流入した圧縮エアがノズル１２ｂにより絞られてディフューザ室１２ｃへ高速で噴流され、排出ポート１２ｆから放出される。このディフューザ室１２ｃへの高速噴流により周囲の空気が引き込まれてディフューザ室１２ｃに真空が発生し、ディフューザ室１２ｃに開口した吸引ポート１２ｄに吸引力が生じる構成となっている。
【００１８】
エア源接続用ジョイント２、１０並びに止水栓接続用ジョイント６は、接続口にソケットをワンタッチで着脱できる方式のものが用いられている。このようなジョイントとして、「カプラ（登録商標）」或いは「カチット（登録商標）」と呼ばれる管用ジョイントがある。
【００１９】
上記したエア供給回路並びにエア排出回路は、図１に示すように、携帯可能なキャリアケース１５に組み込まれている。キャリアケース１５には、エア源接続用ジョイント２、１０の接続口２ａ、１０ａ並びに止水栓接続用ジョイント６の接続口６ａの他に、三方切換弁５の切換ハンドル５ａ、手動開閉弁４、１１のつまみ４ａ、１１ａ、圧力計９の表示盤９ａ、圧力調整弁３の調整ダイヤル３ａ、消音器１３の排気口１４が露出して形成されている。そして、不使用時には蓋１５ａを閉じて持ち運びできるように形成されている。
【００２０】
次に、本考案に係る止水栓のエア注入・排気システムの動作について説明する。
止水栓Ａにエアを充填するときは、図２に示すように、エア源Ｐからのダクト１の先端に設けたソケット１ａをエア供給回路のエア源接続用ジョイント２の接続口２ａに接続すると共に、止水栓Ａから延びるダクト７のソケット７ａを止水栓接続用ジョイント６の接続口６ａに接続する。そして、手動開閉弁４を開放するとともに三方切換弁５を止水栓Ａ側に設定する。
これにより、エア源Ｐからの圧縮エアを止水栓Ａに充填することができる。
【００２１】
止水栓Ａのエアを排出するときは、図３に示すように、エア源Ｐからのダクト１の先端に設けたソケット１ａをエア排出回路のエア源接続用ジョイント１０の接続口１０ａに接続する。そして、手動開閉弁１１を開放するとともに三方切換弁５を真空エジェクタ１２側に切り換える。これにより、エア源Ｐからの圧縮エアは真空エジェクタ１２を通過して消音器１３の排気口１４から排出されると共に、真空エジェクタ１２で発生した真空によって止水栓Ａ内のエアが強制的に真空エジェクタ１２へ吸引され、エア源Ｐからの圧縮エアと共に排気口１４から排出される。このように、本考案によれば、止水栓のエア注入口からの自然排気に頼っていた従来のエア抜きに比べて短時間で排気することができ、作業の迅速化を図ることができる。
【００２２】
さらに、エア供給回路並びにエア排出回路は、携帯可能なキャリアケース１５に組み込まれているので、キャリアケース１５を作業現場に持ち運んでエア源Ｐ並びに止水栓Ａを接続するだけで簡単に使用することができるといったメリットがある。
【００２３】
また、エア源Ｐから延びるダクト７の途中にミストセパレータ８が設けられているので、コンプレッサなどのエア源Ｐで発生した水分や塵芥物が止水栓Ａに混入するのを防止して、止水栓Ａの中空チューブ素材の強度劣化を防ぐことができる。
【００２４】
以上、本考案の代表的な実施例について説明したが、本考案は必ずしも上記の実施形態に特定されるものではなく、本考案の目的を達成し、請求の範囲を逸脱しない範囲内で適宜修正、変更することが可能である。
【産業上の利用可能性】
【００２５】
本考案は、建築用配水管や上下水道管などの配管を一時的に止水するために使用する止水栓のエア注入・排気システムに利用することができる。
【符号の説明】
【００２６】
Ａ  止水栓
Ｂ  配管回路
Ｐ  エア源
１  ダクト
２  エア源接続用ジョイント
３  圧力調整弁
４  手動開閉弁
５  三方切換弁
６  止水栓接続用ジョイント
７  ダクト
８  ミストセパレータ
９  圧力計
１０  エア源接続用ジョイント
１１  手動開閉弁
１２  真空エジェクタ
１２ａ  吸引ポート
１３  消音器
１４  排気口
１５  キャリアケース
【図１】
0003216785.tif 000003
【図２】
0003216785.tif 000004
【図３】
0003216785.tif 000005
【図４】
0003216785.tif 000006
【図５】
0003216785.tif 000007